(57)【要約】【課題】容易に操作を行うことができる電子番組ガイド（ＥＰＧ）の画面操作システム及びその操作方法を提供する。【解決手段】ＥＰＧ画面操作システム２は、ＥＰＧ画面１２を表示する表示装部１１を備えたテレビ１０と、ＥＰＧ画面１２上に表示されるポインタ１３を遠隔操作するリモコン２０とからなる。リモコン２０は、ユーザによって動かされたときに、その動きの方向を検出する慣性センサを備え、その動きの方向を表わす方向信号を発生する。テレビ２０は、その方向信号に応じてポインタ１３をＥＰＧ画面１２上でシフトさせる表示制御部を備える。上記遠隔操作は、リモコン２０のＲＦ信号発生部２１とテレビ１０のＲＦ信号受信部１４との間でＲＦ信号による無線通信によって行われる。【選択図】        図１
2005012433.tif 000002
【特許請求の範囲】
【請求項１】
電子番組ガイド画面を表示する表示装置と、この電子番組ガイド画面上に表示されるポインタを遠隔操作するリモートコントロール装置とからなる電子番組ガイドの画面操作システムにおいて、
前記リモートコントロール装置は、操作者によって動かされたときに、その動きの方向を検出する慣性センサを備え、その動きの方向を表わす方向信号を発生し、前記表示装置は、前記方向信号に応じて前記ポインタを画面上でシフトさせるための表示制御手段を備えることを特徴とする電子番組ガイドの画面操作システム。
【請求項２】
前記遠隔操作は、ＲＦ信号による無線通信によって行われることを特徴とする請求項１記載の電子番組ガイドの画面操作システム。
【請求項３】
前記慣性センサは前記動きの加速度を検出し、この加速度に応じた移動量を表わすシフト量信号を発生し、前記表示制御手段は、前記シフト量信号に応じた距離だけ前記ポインタを画面上でシフトさせることを特徴とする請求項１又は２いずれかに記載の電子番組ガイドの画面操作システム。
【請求項４】
前記慣性センサは、ジャイロであることを特徴とする請求項１又は２いずれかに記載の電子番組ガイドの画面操作システム。
【請求項５】
前記慣性センサは、キャノピー内で移動可能なホットガスと、少なくとも４方向に配置され、前記ホットガスを検知する複数の温度センサからなる熱加速度計であることを特徴とする請求項１ないし３いずれかに記載の電子番組ガイドの画面操作システム。
【請求項６】
前記リモートコントロール装置は、前記慣性センサの検出動作をオン／オフする制御手段を備え、前記慣性センサの検出動作がオンになっている間のみ前記ポインタを移動可能とすることを特徴とする請求項１ないし５いずれかに記載の電子番組ガイドの画面操作システム。
【請求項７】
電子番組ガイド画面を表示する表示装置と、該電子番組ガイド画面上に表示されるポインタを遠隔操作するリモートコントロール装置とからなる電子番組ガイドの画面操作システムの操作方法において、
操作者によって前記リモートコントロール装置が移動されたときに、このリモートコントロール装置内の慣性センサがこの動きを検出するステップと、
前記慣性センサにより検出された信号を無線通信により前記表示装置に送信するステップと、
送信された信号に応じて前記ポインタを画面上でシフトさせるステップとを有することを特徴とする電子番組ガイドの画面操作システムの操作方法。
【発明の詳細な説明】
【０００１】
【発明の属する技術分野】
本発明は、デジタルテレビジョン受像機で表示される電子番組ガイド（ＥＰＧ：Ｅｌｅｃｔｒｉｃ  Ｐｒｏｇｒａｍ  Ｇｕｉｄｅ）の画面操作システム及びその操作方法に関するものである。
【従来の技術】
ＥＰＧ受信装置を内蔵したデジタルテレビジョン受像機（以下、単にテレビという）が実用化され、市販されている。このＥＰＧ受信装置は、ＣＳデジタル放送、地上波データ多重放送、インターネット等によって日々更新されて配信されるＥＰＧ情報（テレビ番組データ）を受信し、画面上にテレビ番組表をＧＵＩ（Ｇｒａｐｈｉｃａｌ  Ｕｓｅｒ  Ｉｎｔｅｒｆａｃｅ）表示する。これにより、視聴者は、画面上に表示されたテレビ番組表をもとに自分が見たいテレビ番組を検索し、ビデオ等の録画装置に対して録画予約を簡単に行うことができる。
【０００２】
また、テレビ画面上にＧＵＩ表示されるテレビ番組表は、ＧＵＩアプリケーションによって構成されており、これを遠隔操作する操作支援装置として例えば赤外線信号を利用したリモートコントロール装置（以下、リモコンという）が用いられる。視聴者はテレビ画面を見ながらリモコンを操作し、選局や好みの番組の検索などを直感的に行うことができる。このようなＥＰＧ画面操作システムに関する技術は、例えば特許文献１に開示されている。
【０００３】
【特許文献１】
特開２００１−４５３２３
【０００４】
【発明が解決しようとする課題】
しかしながら、従来のＥＰＧ画面操作システムにおいては、図１３に示すように、操作者はリモコン１２０の赤外線信号発光部１２１をテレビ１００の受光部１１４に対向するように狙いを定めた状態で、リモコン１２０の空間位置を固定させ、この空間位置を固定させた状態を保持したまま指でリモコン１２０上の方向ボタン１２２を繰り返し押下し、これに応じて移動するポインタ１１３等によって表示部１１１に表示されるＥＰＧ画面１１２を操作する必要がある。ここで、ポインタ１１３は、ＥＰＧ画面１１２上に表示されており、上記ＧＵＩアプリケーションによって制御されるものである。このようなリモコン操作では、リモコン１２０を手で空間位置を保持したままの状態で指で方向ボタン１２２を押下するといった煩雑で高度な操作が要せられるため操作性が悪く、老若男女がこの操作を習得して行うことは容易ではない。
【０００５】
ＥＰＧはＥＰＧ配給業者がデザインして配信されるものであり、多数の放送局における多数の番組を網羅した極めて多数の番組の中から、視聴者が所望する番組を選択するための工夫がなされている。これには、ＧＵＩが単に放送局毎に時系列的に番組内容を表示するセルが配置された番組のみならず、カテゴリー、出演者、検索、予約等の選択操作を指示するアイコンも表示され、これらの中からセルあるいはアイコンを選択・決定すると、ＥＰＧ画面１１２上に選択ウィンドウが表示され、更にこの選択ウィンドウのセルあるいはアイコンを選択・決定すると更なる選択ウィンドウが表示されるように、各セルあるいはアイコンに対応して複数の選択ウィンドウが階層的構成されることが通常である。
【０００６】
このように階層的に構成されたＥＰＧのＧＵＩを視聴者に扱い易いようにするためにＥＰＧ配給業者は、ＧＵＩを番組表上に選択ウィンドウをその階層毎に重ね書き表示（いわゆるポップアップ表示）するように表示させることも行われている。このようなポップアップ表示の視認性を良化するためには、各階層の選択ウィンドウを互いに位置を異ならせて表示することが一般的であり、このようにすると番組表及び各階層の選択ウィンドウにおけるセルあるいはアイコンのＥＰＧ画面１１２上の位置には相関がなくなる。
【０００７】
このようにセルあるいはアイコン位置が互いに相関のない番組表及び各階層の選択ウィンドウ間をポインタ１１３の移動によって所望するセルあるいはアイコンを選択・決定する操作を従来のリモコンで行うことは操作性を著しく欠き、老若男女がこの操作を習得して行うことは更に容易でなくなる。即ち、ＥＰＧ画面１１２に階層毎に異なる位置に選択ウィンドウが表示され、それまでの選択・決定のために表示されたポインタ１１３を新たに表示された選択ウィンドウにおける所望のセルあるいはアイコンの選択を行うために、選択ウィンドウ間を横断して移動させることはリモコン１２０の操作者にかなりの習熟度を要求する。
【０００８】
さらにその動作を説明するならば、操作者はリモコン１２０をテレビ１００の受光部１１４に対向するように狙いを定めた状態で位置を固定したまま指で方向ボタン１２２を操作し、水平方向及び垂直方向に交互に繰り返し押下する操作を行って、ポインタ１１３を番組表及び各階層の選択ウィンドウにおけるセルあるいはアイコンのＥＰＧ画面１１２上の位置に相関がない選択ウィンドウにおける所望のセルあるいはアイコンへ移動させる煩雑な操作を必要とする。
【０００９】
本発明は、上記問題点を考慮してなされたものであり、容易に操作を行うことができる電子番組ガイドの画面操作システム及びその操作方法を提供するものである。
【００１０】
【課題を解決するための手段】
前記目的を達成するために、本発明の電子番組ガイドの画面操作システムは、電子番組ガイド画面を表示する表示装置と、この電子番組ガイド画面上に表示されるポインタを遠隔操作するリモートコントロール装置とからなる電子番組ガイドの画面操作システムにおいて、前記リモートコントロール装置は、操作者によって動かされたときに、その動きの方向を検出する慣性センサを備え、その動きの方向を表わす方向信号を発生し、前記表示装置は、前記方向信号に応じて前記ポインタを画面上でシフトさせるための表示制御手段を備えることを特徴とするものである。なお、前記遠隔操作は、ＲＦ信号による無線通信によって行われることが好ましい。
【００１１】
前記慣性センサは前記動きの加速度を検出し、この加速度に応じた移動量を表わすシフト量信号を発生し、前記表示制御手段は、前記シフト量信号に応じた距離だけ前記ポインタを画面上でシフトさせてもよい。
【００１２】
前記慣性センサは、ジャイロであることが好ましい。
【００１３】
また、前記慣性センサは、キャノピー内で移動可能なホットガスと、少なくとも４方向に配置され、前記ホットガスを検知する複数の温度センサからなる熱加速度計としてもよい。
【００１４】
前記リモートコントロール装置は、前記慣性センサの検出動作をオン／オフする制御手段を備え、該慣性センサの検出動作がオンになっている間のみ前記ポインタを移動可能とすることが好ましい。
【００１５】
本発明における電子番組ガイドの画面操作システムの操作方法は、電子番組ガイド画面を表示する表示装置と、該電子番組ガイド画面上に表示されるポインタを遠隔操作するリモートコントロール装置とからなる電子番組ガイドの画面操作システムの操作方法において、操作者によって前記リモートコントロール装置が移動されたときに、このリモートコントロール装置内の慣性センサがこの動きを検出するステップと、前記慣性センサにより検出された信号を無線通信により前記表示装置に送信するステップと、送信された信号に応じて前記ポインタを画面上でシフトさせるステップとを有することを特徴とするものである。
【００１６】
【発明の実施の形態】
図１において、ＥＰＧ画面操作システム２は、図示しないＥＰＧ受信装置９を内蔵したテレビ１０と、このテレビ１０を遠隔操作するリモコン２０とからなる。ＥＰＧ受信装置９は、配信されるＥＰＧ情報を受信して、テレビ１０の表示部１１に番組データを表示する。この番組データが図示しないＧＵＩアプリケーションによって表形式に構成されてなるＥＰＧ画面１２が表示部１１に表示される。ＥＰＧ画面１２上にはポインタ１３が表示されており、ポインタ１３によって各種アイコン等の選択操作が行われる。表示部１１には、ＣＲＴや液晶ディスプレイ等が用いられる。
【００１７】
リモコン２０には、後述する慣性センサ２８が内蔵されており、リモコン２０自身の動きに連動して上記ポインタ１３がＥＰＧ画面１２上で移動されるように構成されている。また、リモコン２０は、ＲＦ（Ｒａｄｉｏ  Ｆｒｅｑｕｅｎｃｙ  ）信号発信部２１を有しており、ＲＦ信号によって、テレビ１０に設けられたＲＦ信号受信部１４に、慣性センサ２８の検出信号（方向信号、シフト量信号）や入力部２２のボタン操作による各種情報を送信する。ＲＦ信号は赤外線信号とは異なり信号の指向性が小さいため、送信の際にリモコン２０の向きをあまり気にする必要はない。また、ポインタ１３を所望とするアイコン位置に向けて移動させるために、該当する方向にリモコン２０の向きを移動させたときに、移動後のリモコン信号をテレビ１０のＲＦ信号受信部１４が受信しなければならない。従って、リモコン２０の向きは大雑把にテレビ１０に向けた状態で操作を行うことができる。
【００１８】
図２において、リモコン２０の端部には前述のＲＦ信号発信部２１が設けられており、リモコン２０の上面に設けられた入力部２２には、メニューボタン２３、操作開始ボタン２４、決定ボタン２５、複数の数字ボタン２６が形成されている。メニューボタン２３は、表示部１１の画面を通常の番組映像画面などからＥＰＧ画面１２に切り替えるために用いられる。操作開始ボタン２４は、リモコン２０の変位によりＥＰＧ画面１２上のポインタ１３を移動させるモードを開始するために用いられる。決定ボタン２５は、ポインタ１３により選択されたＥＰＧ画面１２上のアイコンやセルを決定するために用いられる。また、数字ボタン２６は、ポインタ１３での選択操作に代えて、数字で表記されたアイコンやセルを選択するために用いられる。
【００１９】
図３は、ＥＰＧ画面操作システム２の構成を示すブロック図である。リモコン２０は、入力部２２、リモコン制御部２７、慣性センサ２８、ＲＦ信号生成部２９、ＲＦ信号発信部２１により構成されている。入力部２２は、図２に示した各種ボタン２３〜２６からなり、ボタン操作による入力信号をリモコン制御部２７に送る。リモコン制御部２７は、入力部２２からの入力信号を受けるとともに、慣性センサ２８と相互に信号をやり取りする。慣性センサ２８は、リモコン２０自身の変位を検出するセンサである。また、リモコン制御部２７は、入力部２２から送られた入力信号と、慣性センサ２８によって検出された検出信号とをＲＦ信号生成部２９に送る。ＲＦ信号生成部２９は、リモコン制御部２７から送られた信号を高周波信号に変換してＲＦ信号を生成する。ＲＦ信号発信部２１は、ＲＦ信号生成部２９によって生成されたＲＦ信号をテレビ１０へ向けて発信する。
【００２０】
テレビ１０は、ＥＰＧ受信装置９、ＲＦ信号受信部１４、表示制御部１５、表示部１１により構成されている。ＲＦ信号受信部１４は、ＲＦ信号発信部２１から発信されたＲＦ信号を受信し、ＲＦ信号を電気信号に変換して表示制御部１５へ送る。表示制御部１５は、前述のＧＵＩアプリケーションを含み、ＥＰＧ受信装置９が受信したＥＰＧ情報をＥＰＧ画面１２として表示部１１に表示するとともに、ＲＦ信号受信部１４から送られた信号に基づいてＥＰＧ画面１２上に表示されるポインタ１３をシフトさせ、ＥＰＧ画面１２上のアイコンやセルを選択・決定する。
【００２１】
なお、リモコン制御部２７によって慣性センサ２８の動作のオン／オフが制御されるとともに、オン状態において検出した検出信号をもとにして、ＥＰＧ画面１２上のポインタ１３の移動方向、移動量が決定される。
【００２２】
図４は、慣性センサ２８として用いられる周知のバーティカルジャイロ３０の構成を示す。このバーティカルジャイロ３０は、例えば“多摩川精機株式会社編「ジャイロ活用技術入門−その原理・機能・応用のポイントを詳述」工業調査会，２００２年１月２０日，ｐ．４５−４７”に記載されているコマの力学を利用したセンサであり、リモコン２０の内部に組み込まれている。
【００２３】
バーティカルジャイロ３０は、回転軸３１ａを中心に高速回転するジャイロロータ３１と、ジャイロロータ３１を支える支持枠である内ジンバル３２及び外ジンバル３３と、ジャイロロータ３１の回転軸３１ａの鉛直方向Ｚに対する傾きを検出する鉛直検出器３４と、鉛直検出器３４からの信号３４ａを受けて回転軸３１ａの傾きを鉛直方向Ｚに修正するトルクモータ３５と、各ジンバル３２，３３に取り付けられ鉛直方向Ｚに対する変位角を検出する角度検出器３６，３７とを有する。バーティカルジャイロ３０は、マグネット及びコイルの組み合わせからなり鉛直検出器３４からの信号３４ｂを受信するトルカ３８を、回転軸３１ａを鉛直方向に保つための起立機構として用いる。
【００２４】
このバーティカルジャイロ３０は、鉛直方向Ｚを基準として水平面内の２軸に関する運動変位角を検出する。すなわち、ピッチ角検出器３６は、Ｘ軸周りの運動変位角であるピッチ角θｐ（±９０°）をピッチ角出力信号３６ａとして検出し、ロール角検出器３７は、Ｙ軸周りの運動変位角であるロール角θｒ（±９０°）をロール角出力信号３７ａとして検出する。このようなバーティカルジャイロ３０を慣性センサ２８として用いるので、リモコン２０の変位に対応させてポインタ１３の移動方向、さらには移動量を決定することができる。
【００２５】
図５において、リモコン２０内に組み込まれたバーティカルジャイロ３０を中心として予め設定されたＸ軸、Ｙ軸に関してリモコン２０が変位すると、その変位はＸ軸周りのピッチ角θｐ及びＹ軸周りのロール角θｒとによって特定される。例えば、運動変位角θｒ，θｐの正弦（ｓｉｎθｒ，ｓｉｎθｐ）をポインタ１３の移動を表すベクトル（Ｘ１  ，Ｙ１  ）に対応させればよい。なお、このベクトル（Ｘ１  ，Ｙ１  ）の決定方法は必ずしも運動変位角θｒ，θｐの正弦をとる方法に限られない。運動変位角θｒ，θｐ相互間の大小関係を保つことのできる変換方法によってベクトル（Ｘ１  ，Ｙ１  ）を決定すればよい。運動変位角θｒ，θｐからなるベクトル（θｒ，θｐ）をそのままベクトル（Ｘ１  ，Ｙ１  ）に対応させてもよい。
【００２６】
このように運動変位角θｒ，θｐに基づいて決定されたポインタ１３の移動を示すベクトル（Ｘ１  ，Ｙ１  ）は表示制御部１５によって処理され、ポインタ１３をベクトル（Ｘ１  ，Ｙ１  ）によって特定される位置に移動させる。また、表示制御部１５は、運動変位角θｒ，θｐの大きさに対応した移動速度でポインタ１３を移動させてもよく、その場合には、ポインタ１３の移動速度はベクトル（Ｘ１  ，Ｙ１  ）の大きさによって決定すればよい。
【００２７】
以上、慣性センサ２８としてバーティカルジャイロ３０を用いた例を示したが、慣性センサ２８にはジャイロ以外の傾斜計、加速度計など様々な種類、駆動方式のものを適用することができる。ジャイロ自体もコマの力学を応用したものの他、コリオリの力を原理としたもの（振動ジャイロ）やサニャック効果を原理としたもの（リングレーザージャイロ）など、様々な種類、駆動方式のものがある。従って、最低限必要とされるポインタ１３の移動方向を決定することのできるものであれば、いずれの慣性センサを用いてもよい。
【００２８】
図６は、慣性センサ２８の他の一例である熱加速度計４０の平面図を示す。この熱加速度計４０は、例えば米国特許６，１８２，５０９  号公報に開示されているものである。熱加速度計４０は、微細加工技術により、３ｍｍ四方程度のシリコン基板４１にエッチング処理によって空洞４２が形成され、空洞４２の上に構造体４３が張り渡されて構成されている。この構造体４３の中央には小さな加熱器４４が設けられている。また、加熱器４４から四方に等距離となるように４つの温度センサ４５ａ〜４５ｄがそれぞれ配置されている。なお、温度センサの数は、４つに限られず、５つ以上の温度センサを用いてもよい。
【００２９】
図７（Ａ）の断面図において、シリコン基板４１上には構造体４３を覆うようにドーム型のキャノピー４６が被せられており、その内部にはガスが封入されている。同図に示すように、熱加速度計４０が水平状態に保たれている場合には、中央に設けられた加熱器４４によって温められて生じたホットガス４７ａが熱加速度計４０の中央に滞留し、その周囲は、ホットガス４７ａより比重が大きいコールドガス４７ｂによって取り巻かれている。従って、熱加速度計４０内の温度分布は、図７（Ｂ）の実線４８に示すように左右対称となり、中央の加熱器４４からの距離が大きくなるにつれて温度は低下する。このとき、４つの温度センサ４５ａ〜４５ｄによって検出される温度はほぼ等しい。
【００３０】
図８（Ａ）は、熱加速度計４０が組み込まれたリモコン２０が紙面の左方向へ変位することにより加速度が加わった様子を示す。この左方向への加速度により、比重の小さいホットガス４７ａは右方向に移動する。この結果、図８（Ｂ）において、実線４８の平衡状態の温度分布は、破線４９に示すように右方向へずれる。この温度分布の変化が４つの温度センサ４５ａ〜４５ｄによって検出されることにより、かかる加速度の方向及び大きさ、すなわちリモコン２０の変位に対応する信号（方向信号、シフト量信号）が得られる。
【００３１】
リモコン２０の変位のうちＸ軸方向成分による加速度は、温度センサ４５ｂ，４５ｄが感知する温度変化として検出され、リモコン２０の変位のうちＹ軸方向成分による加速度は、温度センサ４５ａ，４５ｃが感知する温度変化として検出される。これにより、リモコン２０がいかなる方向に変位したかを知ることができ、ポインタ１３の移動を示すベクトル（Ｘ１  ，Ｙ１  ）が決定される。なお、このガスの温度分布は、リモコン２０を傾けた場合にも重力加速度により平衡状態から変化するため、図５に示した運動変位角θｒ，θｐの変化も併せて熱加速度計４０によって検出されることとなる。
【００３２】
このようなバーティカルジャイロ３０や熱加速度計４０からなる慣性センサ２８は、リモコン２０の操作開始ボタン２４が押下されている間のみ上記検出動作を行うように構成されている。リモコン制御部２７は、操作開始ボタン２４が押下されたか否かを検出し、慣性センサ２８の動作のオン／オフ制御を行う。これにより、操作者が操作開始ボタン２４を押しながらリモコン２０を動かした場合にのみポインタ１３が移動可能となる。また、操作者がリモコン２０を動かして、押していた操作開始ボタン２４を離すことにより、ＥＰＧ画面１２上の所望の位置にポインタ１３を停止させることができる。さらに、操作者がリモコン２０の決定ボタン２５を押下することにより、ポインタ１３の位置にあるアイコンやセルを選択し、決定することができる。
【００３３】
次に、図９〜図１２は、ＥＰＧ画面１２の選択操作について示す。まず、図９に示すＥＰＧ画面１２の主メニューをテレビ１０の表示部１１に表示するには、リモコン２０をテレビ１０へ大雑把に向けた状態でメニューボタン２３を操作する。このＥＰＧ画面１２には、チャンネル及び時間によってマトリクス表示された番組表５０が表示される。この番組表５０内には、番組内容が各セルに表示され、各セルはリモコン２０の操作により選択、決定することができる。また、番組表５０の上方には、例えば、主メニュー、カテゴリー、出演者、検索、予約などの選択操作を指示するアイコン５１ａ〜５１ｅが表示され、リモコン２０の操作により所望のアイコンを選択、決定することができる。
【００３４】
図１０において、前述したリモコン２０の操作によりポインタ１３を移動させて「カテゴリー」のアイコン５１ｂを選択し、決定すると、ＥＰＧ画面１２上にカテゴリー選択ウィンドウ５２が重ね書き表示（いわゆるポップアップ表示）される。カテゴリー選択ウィンドウ５２には、例えば、映画、スポーツ、音楽、ニュース、ショッピング、スペシャルなどのカテゴリーを示すアイコンが表示され、リモコン２０の操作により所望のアイコンを選択、決定することができる。
【００３５】
さらに、図１１において、リモコン２０の操作によりポインタ１３をカテゴリー選択ウィンドウ５２上に移動させて「映画」のアイコン５２ａを選択し、決定すると、画面の最前面に映画番組ウィンドウ５３がポップアップ表示される。ここで、ＥＰＧ画面１２の「カテゴリー」アイコン５１ｂにポインタ１３が停止している状態から、「カテゴリー」選択ウィンドウ５２の「映画」アイコン５２ａを選択するには、図２に示すリモコン２０の操作開始ボタン２４を押下した状態で、ＥＰＧ画面１２に表示された通り、リモコン２０を右斜め下４５度方向に移動させてポインタ１３を所定のアイコンに移動させた後、決定ボタン２５を押下すればよい。これにより、階層状態にあり、相互のアイコン位置が不定である階層間のアイコンを容易に選択・決定することができる。
【００３６】
なお、映画番組ウィンドウ５３内には、映画のカテゴリーに属する番組が検索され、放映時間とチャンネルとともに表形式に表示されてなる番組リスト５４が表示されている。リモコン２０の操作により番組リスト５４の中から所望の番組を選択することができる。また、映画番組ウィンドウ５３内には、選択・決定された番組を録画予約するためのアイコン５５ａ、及びこれを取り消すためのアイコン５５ｂが表示されている。
【００３７】
図１２において、リモコン２０の操作により、同様に階層状態にあり相互に相関のない選択ウィンドウ間をポインタ１３を移動させて、例えば「釣りバカ日記」の番組欄にポインタ１３を合わせて決定ボタン２５を押下するとこの番組が選択・決定され、その後、「予約」のアイコン５５ａにポインタ１３を合わせて決定ボタン２５を押下すると、この番組が録画予約される。なお、この操作に代えて、リモコン２０上の数字ボタン２６によって番組を選択・決定することができる。例えば「釣りバカ日記」の番組を選択・決定する場合には数字ボタン２６の「２」を押下すればよい。この録画予約が完了するとＥＰＧ画面１２は終了し、それまでに設定されていた番組が表示部１１に表示される。
【００３８】
なお、上記実施形態に示したリモコン２０に、卓上で操作可能な周知のマウス、例えば赤外線を卓上に当てて操作方向を検知する赤外線マウスを組み合わせてもよい。これにより、卓上においてもＥＰＧ画面１２の選択操作が可能となる。
【００３９】
また、上記実施形態に示したリモコン２０の操作開始ボタン２４をタッチセンサによって構成し、このタッチセンサに手が触れているときのみ慣性センサ２８の動作がオンになるようにしてもよい。
【００４０】
【発明の効果】
以上説明したように、本発明によれば、電子番組ガイド画面上に表示されるポインタを遠隔操作するリモートコントロール装置が、操作者によって動かされたときに、その動きの方向を検出する慣性センサを備え、その動きの方向を表わす方向信号を発生し、その方向信号に応じてポインタをシフトさせるようにしたので、操作者は表示装置の電子番組ガイド画面に対して指差し動作に似た操作でリモートコントロール装置を操作することができ、従来のような方向ボタンを繰り返して押下する操作に比して著しく操作が容易となる。
【００４１】
また、リモートコントロール装置による電子番組ガイド画面の遠隔操作を、指向性の小さいＲＦ信号による無線通信によって行うようにしたので、画面上のポインタを所望とするアイコン位置に向けて移動させるために、自由にリモートコントロール装置を移動操作することが可能となり、操作性が著しく向上する。また、信号の発信の際にリモートコントロール装置を大雑把に表示装置へ向ければよく、リモートコントロール装置の方向を正確に合わせて操作を行う必要がなくなる。
【図面の簡単な説明】
【図１】ＥＰＧ画面操作システムを示す概観図である。
【図２】リモコンの正面図である。
【図３】ＥＰＧ画面操作システムの電気的構成を示すブロック図である。
【図４】バーティカルジャイロの構成を示す斜視図である。
【図５】リモコンの移動方向を説明する斜視図である。
【図６】熱加速度計の構成を示す平面図である。
【図７】（Ａ）は、平衡状態における熱加速度計の断面図である。（Ｂ）は平衡状態におけるガスの温度分布を示すグラフである。
【図８】（Ａ）は、加速度が加わった場合における熱加速度計の断面図である。（Ｂ）は加速度が加わった場合におけるガスの温度分布を示すグラフである。
【図９】ＥＰＧ画面を説明する図である。
【図１０】ＥＰＧ画面上のカテゴリー選択ウィンドウを説明する図である。
【図１１】ＥＰＧ画面上の映画番組ウィンドウを説明する図（その１）である。
【図１２】ＥＰＧ画面上の映画番組ウィンドウを説明する図（その２）である。
【図１３】従来のＥＰＧ画面操作システムを示す概観図である。
【符号の説明】
１０  テレビ
１１  表示部
１２  ＥＰＧ画面
１３  ポインタ
１４  ＲＦ信号受信部
１５  表示制御部
２０  リモコン
２１  ＲＦ信号発信部
２２  入力部
２７  リモコン制御部
２８  慣性センサ
２９  ＲＦ信号生成部
３０  バーティカルジャイロ
４０  熱加速度計
４４  加熱器
４５ａ〜４５ｄ  温度センサ
４６  キャノピー
４７ａ  ホットガス
４７ｂ  コールドガス
【図１】
2005012433.tif 000003
【図２】
2005012433.tif 000004
【図３】
2005012433.tif 000005
【図４】
2005012433.tif 000006
【図５】
2005012433.tif 000007
【図６】
2005012433.tif 000008
【図７】
2005012433.tif 000009
【図８】
2005012433.tif 000010
【図９】
2005012433.tif 000011
【図１０】
2005012433.tif 000012
【図１１】
2005012433.tif 000013
【図１２】
2005012433.tif 000014
【図１３】
2005012433.tif 000015